(57)【特許請求の範囲】
【請求項１】
上下方向に延伸した筒状の第一フィルター本体と、
環状に設けられ、内環の辺縁は前記第一フィルター本体の下端に密閉状態に接続され、複数のろ過孔が設けられた第二フィルター本体と、
を含み、
前記第二フィルター本体は径方向外側方向に向かって下方に傾斜して延伸しており、
前記複数のろ過孔は、前記第二フィルター本体の少なくとも外環の辺縁から径方向内側方向に向かって一定の幅において設けられていることを特徴とするコーヒーメーカーフィルター。
【請求項２】
前記第一フィルター本体と前記第二フィルター本体は一体に設置されることを特徴とする請求項１に記載のコーヒーメーカーフィルター。
【請求項３】
前記コーヒーメーカーフィルターは固定フレームを更に含み、前記第一フィルター本体の軸方向の上端は前記固定フレームに固定接続されることを特徴とする請求項１に記載のコーヒーメーカーフィルター。
【請求項４】
前記第二フィルター本体のいずれか一つの前記ろ過孔は、上表面に連通する直形孔と、下表面に連通しかつ前記直形孔から離れる方向に向かって徐々に拡がる錐形孔とを含むことを特徴とする請求項１に記載のコーヒーメーカーフィルター。
【請求項５】
前記コーヒーメーカーフィルターの上部の内周面には複数個の取っ手が設けられていることを特徴とする請求項１に記載のコーヒーメーカーフィルター。
【請求項６】
前記第一フィルター本体は下から上に向かって徐々に拡がるように設けられることを特徴とする請求項１に記載のコーヒーメーカーフィルター。
【請求項７】
前記第一フィルター本体上には補強筋が形成され、前記補強筋は少なくとも前記第一フィルター本体の周方向に沿って形成される環状補強筋を含むことを特徴とする請求項１に記載のコーヒーメーカーフィルター。
【請求項８】
前記第一フィルター本体は下端が密閉されるように設けられていることを特徴とする請求項１に記載のコーヒーメーカーフィルター。
【請求項９】
収納部と蓋部を含み、前記蓋部が前記収納部をカバーすることにより粉砕腔が形成され、前記粉砕腔の底部には飲料出口が形成されている粉砕室と、
前記粉砕腔内に設けられる粉砕刃セットと、前記粉砕腔の外部に設けられて前記粉砕刃セットを駆動して回転させる電機を含む粉砕装置と、
前記粉砕腔と連通する湯供給装置と、
請求項１〜８のいずれか一項に記載のコーヒーメーカーフィルターであって、前記第一フィルター本体は前記粉砕刃セットの周囲に設けられかつこの下端は前記粉砕腔の腔底部に密閉状態に接続され、前記第二フィルター本体の外環の辺縁と前記粉砕腔の側壁は密閉状態に接続され、前記粉砕腔が前記第一フィルター本体に包囲された区域は一回目ろ過室を形成し、前記粉砕腔の他の区域は前記第二フィルター本体により上方の二回目ろ過室と下方の飲料室に分割され、前記飲料出口は前記飲料室と連通するコーヒーメーカーフィルターと、
を具備することを特徴とするコーヒーメーカー。
【請求項１０】
前記第二フィルター本体の外環の辺縁には下方向に或いは上方向に延伸する実装用折返し縁が形成され、前記実装用折返し縁の外周面にはシールリングに嵌合し位置決めする位置決め環状溝が設けられ、前記シールリングは前記粉砕腔の側壁に当接することを特徴とする請求項９に記載のコーヒーメーカー。
【請求項１１】
前記実装用折返し縁は下方向へ延伸し、前記実装用折返し縁の下端は前記粉砕腔の底壁に当接することを特徴とする請求項１０に記載のコーヒーメーカー。
【請求項１２】
前記第一フィルター本体上には補強筋が形成され、前記補強筋は少なくとも前記第一フィルター本体の周方向に沿って形成される環状補強筋を含み、前記第一フィルター本体は径方向で前記粉砕刃セットと対向する環状区域を更に具備し、前記環状補強筋は前記環状区域に形成されることを特徴とする請求項９に記載のコーヒーメーカー。
【請求項１３】
前記収納部の底壁には第一凸部が形成され、前記第一フィルター本体の下端は前記第一凸部の上端面に密閉に当接し、前記第一フィルター本体と前記収納部の側壁との間には前記二回目ろ過室が形成され、前記第一凸部の外周面と前記収納部の側壁との間には前記飲料室が形成されることを特徴とする請求項９に記載のコーヒーメーカー。
【請求項１４】
前記第一凸部の上端面には第二凸部が形成され、前記第一フィルター本体が前記第二凸部に嵌合されることにより、前記粉砕腔内で位置決めされることを特徴とする請求項１３に記載のコーヒーメーカー。
【請求項１５】
前記第一フィルター本体の下端は前記収納部の底壁に当接し、前記第二フィルター本体と前記第一フィルター本体の接続箇所と、前記第一フィルター本体の下端との間には一定の距離を有し、前記第二フィルター本体の上方の前記第一フィルター本体と前記収納部の側壁との間には前記二回目ろ過室が形成され、前記第二フィルター本体の下方の前記第一フィルター本体と前記収納部の側壁との間には前記飲料室が形成されることを特徴とする請求項９に記載のコーヒーメーカー。
【請求項１６】
前記コーヒーメーカーフィルターの上部は前記蓋部に密閉に接続されるか或いは前記コーヒーメーカーフィルターの上部は前記収納部に密閉に接続されるとともに前記収納部は前記蓋部に密閉に接続されることを特徴とする請求項９に記載のコーヒーメーカー。
【発明の詳細な説明】
【技術分野】
【０００１】
本発明は、家電製品の技術分野に関し、特にコーヒーメーカーフィルターおよびコーヒーメーカーに関するものである。
【背景技術】
【０００２】
粉砕と抽出が一体になっているコーヒーメーカーにおいて、粉砕室を抽出室としても用いるのが通常である。粉砕室内のコーヒーかすが飲料吐出口から使用者のコーヒーポットに吐出されることを避けるため、粉砕室内には形状が筒型でありかつ粉砕刃セットの周囲に環状に設けられるフィルターが取り付けられている。コーヒーを抽出するとき、通常、粉砕刃セットによってコーヒー粒子を撹拌する。撹拌によってコーヒー粒子には遠心力が形成され、大粒径のコーヒー粒子はフィルターを通過してコーヒー液体と共にコーヒーポットに吐出されるおそれがある。これによりコーヒー飲料の品質が低下する。
【発明の概要】
【発明が解決しようとする課題】
【０００３】
本発明の主な目的は、コーヒーを攪拌するとき、コーヒー粒子がフィルターを通過することを防止し、コーヒー飲料の品質を向上させることができる、コーヒーメーカーフィルターを提供することにある。
【課題を解決するための手段】
【０００４】
前記目的を実現するため、本発明において、上下方向に延伸した筒状の第一フィルター本体と、環状に設けられかつ内環の辺縁は前記第一フィルター本体の下部に密閉状態に接続される第二フィルター本体と、を含むコーヒーメーカーフィルターを提供する。
【０００５】
好ましくは、前記第一フィルター本体と前記第二フィルター本体は一体に設置される。
【０００６】
好ましくは、前記コーヒーメーカーフィルターは固定フレームを更に含み、前記第一フィルター本体の軸方向の上端は前記固定フレームに固定接続される。
【０００７】
好ましくは、前記第一フィルター本体は金属材質であり、前記固定フレームはプラスチック材質であり、前記固定フレームは射出成型方法によって前記第一フィルター本体に固定される。
【０００８】
好ましくは、前記第一フィルター本体は金属材質であり、前記第二フィルター本体はプラスチック材質であり、前記第二フィルター本体は射出成型方法によって前記第一フィルター本体に固定接続される。
【０００９】
好ましくは、前記第二フィルター本体のいずれか一つのろ過孔は、上表面に連通する直形孔と、下表面に連通しかつ前記直形孔から離れる方向に向かって徐々に拡がる錐形孔とを含む。
【００１０】
好ましくは、前記第二フィルター本体のろ過孔の上表面の孔径の範囲は０．２ｍｍ〜０．８ｍｍである。
【００１１】
好ましくは、前記第二フィルター本体の内環の辺縁と外環の辺縁との間の距離の範囲は１０ｍｍ〜３０ｍｍである。
【００１２】
好ましくは、前記第二フィルター本体は径方向外側方向に向かって下方に傾斜して延伸しているか或いは上方に傾斜して延伸している。
【００１３】
好ましくは、前記第二フィルター本体は径方向外側方向に向かって下方に傾斜して延伸しており、水平方向との間の傾斜角の範囲は１°〜１０°である。
【００１４】
好ましくは、前記コーヒーメーカーフィルターの上部の内周面には複数個の取っ手が設けられている。
【００１５】
好ましくは、前記第一フィルター本体の目数の範囲は８０網目〜１５０網目である。
【００１６】
好ましくは、前記第一フィルター本体は下から上に向かって徐々に拡がるように設けられる。
【００１７】
好ましくは、前記第一フィルター本体と垂直方向との間の傾斜角の範囲は５°〜３０°である。
【００１８】
好ましくは、前記第一フィルター本体上には補強筋が形成され、前記補強筋は少なくとも前記第一フィルター本体の周方向に沿って形成される環状補強筋を含む。
【００１９】
好ましくは、前記第一フィルター本体は下端が密閉されるように設けられる。
【００２０】
前記目的を実現するため、本発明においてコーヒーメーカーを更に提供する。前記コーヒーメーカーは、
収納部と蓋部を含み、前記蓋部が前記収納部をカバーすることにより粉砕腔が形成され、前記粉砕腔の底部には飲料出口が形成されている粉砕室と、
前記粉砕腔内に設けられる粉砕刃セットと、前記粉砕腔の外部に設けられて前記粉砕刃セットを駆動して回転させる電機を含む粉砕装置と、
前記粉砕腔と連通する湯供給装置と、
上下方向に延伸した筒状に形成される第一フィルター本体と、前記第二フィルター本体は環状に形成されかつ内環の辺縁と前記第一フィルター本体の下部は密閉状態に接続されるコーヒーメーカーフィルターと、を具備し、
前記第一フィルター本体は前記粉砕刃セットの周囲に設けられかつこの下端は前記粉砕腔の腔底部に密閉状態に接続され、前記第二フィルター本体の外環の辺縁と前記粉砕腔の側壁は密閉状態に接続され、前記粉砕腔が前記第一フィルター本体に包囲された区域は一回目ろ過室を形成し、前記粉砕腔の他の区域は前記第二フィルター本体により上方の二回目ろ過室と下方の飲料室に分割され、前記飲料出口は前記飲料室と連通する。
【００２１】
好ましくは、前記第二フィルター本体の外環の辺縁には下方向に或いは上方向に延伸する実装用折返し縁が形成され、前記実装用折返し縁の外周面にはシールリングに嵌合し位置決めする位置決め環状溝が設けられ、前記シールリングは前記粉砕腔の側壁に当接する。
【００２２】
好ましくは、前記実装用折返し縁は下方向へ延伸し、前記実装用折返し縁の下端は前記粉砕腔の底壁に当接する。
【００２３】
好ましくは、前記第一フィルター本体上には補強筋が形成され、前記補強筋は少なくとも前記第一フィルター本体の周方向に沿って形成される環状補強筋を含み、前記第一フィルター本体は径方向で前記粉砕刃セットと対向する環状区域を更に具備し、前記環状補強筋は前記環状区域に環状に設けられる。
【００２４】
好ましくは、前記収納部の底壁には第一凸部が形成され、前記第一フィルター本体の下端は前記第一凸部の上端面に密閉に当接し、前記第二フィルター本体は前記第一フィルター本体の下端に接続され、前記第一フィルター本体と前記収納部の側壁との間には二回目ろ過室が形成され、前記第一凸部の外周面と前記収納部の側壁との間には前記飲料室が形成される。
【００２５】
好ましくは、前記第一凸部の上端面には第二凸部が形成され、前記第一フィルター本体が前記第二凸部に嵌合されることにより、前記粉砕腔内で位置決めされる。
【００２６】
好ましくは、前記第一フィルター本体の下端は前記収納部の底壁に当接し、前記第二フィルター本体と前記第一フィルター本体の接続箇所と、前記第一フィルター本体の下端との間には一定の距離を有し、前記第二フィルター本体の上方の前記第一フィルター本体と前記収納部の側壁との間には前記二回目ろ過室が形成され、前記第二フィルター本体の下方の前記第一フィルター本体と前記収納部の側壁との間には前記飲料室が形成される。
【００２７】
好ましくは、前記コーヒーメーカーフィルターの上部は前記蓋部に密閉に接続されるか或いは前記コーヒーメーカーフィルターの上部は前記収納部に密閉に接続されるとともに前記収納部は前記蓋部に密閉に接続される。
【発明の効果】
【００２８】
本発明の実施例において、粉砕腔は、一回目ろ過室と、一回目ろ過室の周囲に位置する二回目ろ過室と、二回目ろ過室の下方に位置する飲料室とに分割される。従って、コーヒー豆を粉砕するか或いはコーヒーを攪拌するとき、遠心力によって大粒径のコーヒー粒子が第一フィルター本体を通過して二回目ろ過室に入っても、第二フィルター本体はこのコーヒー粒子を二回目ろ過室内に在留させることができる。これにより、大粒径のコーヒー粒子が飲料室に入ることを避け、コーヒー飲料の品質を向上させることができる。
【００２９】
本発明の実施例の構成と従来の技術の構成をより詳細に説明するため、以下、実施例または従来の技術中の図面を簡単に説明する。下述する図面は本発明の一部分の実施例にしか過ぎず、本技術分野の技術者によれば、創造的な発明をせずにこれら図面が示す構造に基づいてその他の図面を想到できることは明らかである。
【図面の簡単な説明】
【００３０】
【図１】本発明のコーヒーメーカーの一実施例の構造を示す図である。
【図２】図１のコーヒーメーカーの粉砕室、コーヒーメーカーフィルターおよび粉砕刃セットの構造を示す図である。
【図３】図２のＡ部分の構造を示す拡大図である。
【図４】図２のコーヒーメーカーのコーヒーメーカーフィルターの構造を示す図である。
【発明を実施するための形態】
【００３１】
本発明の目的、特徴および発明の効果をよく理解してもらうため、以下、本発明の実施例と図面により本発明を詳細に説明する。
【００３２】
以下、本発明の実施例の図面により、本発明の実施例に係る構成を詳細に、充分に説明するが、下記の実施例は本発明の一部分の実施例であり、本発明の全部の実施例を示すものでない。本技術分野の技術者が、本発明の実施例に基づいて、創造的な研究をせずに想到できる他の実施例があっても、これらが本発明に含まれることは勿論である。
【００３３】
説明すべきことは、本発明の実施例中に方向性用語（例えば、上、下、左、右、前、後・・・・）が記載されているが、前記方向性用語は、部品が所定の姿勢（例えば図面中の姿勢）になっているとき、各部品の間の位置関係、移動状況などを示すものであり、その特定の姿勢が変化するとき前記方向性用語が一緒に変化することは勿論である。
【００３４】
また、本発明の実施例には「第一」、「第二」などの用語が記載されているが、前記「第一」、「第二」などの用語は説明するためのものであり、技術的特徴の重要性を直接または間接に示すか或いは技術的特徴の数量を直接または間接に説明するものでない。即ち、前記「第一」、「第二」などは少なくとも１つの技術的特徴が含まれることを直接または間接に示す。各実施例に複数の構成が含まれ、これらを組み合わせても実施が可能である場合、当業者はこれらを自由に組み合わせることができる。しかしながら、その構成の組合せにより矛盾が発生するか或いは実施不可能な場合が発生する場合、これらを組み合わせることができず、このような組合せがあっても本発明に含まれないことは勿論である。
【００３５】
本発明はコーヒーメーカーフィルターと該フィルターを具備するコーヒーメーカーとを提供する。
【００３６】
図１〜図３を参照すると、本発明の実施例に係る前記コーヒーメーカーは、粉砕室１、粉砕装置２、湯供給装置４、電気制御装置（図示せず）およびコーヒーメーカーフィルター３を含む。
粉砕室１は収納部１１と蓋部１２を含み、蓋部１２が収納部１１をカバーすることにより粉砕腔１０が形成され、粉砕腔１０の底部には飲料出口１３が形成されている。
粉砕装置２は、粉砕腔１０内に設けられる粉砕刃セット２１と、粉砕腔１０の外部に設けられて粉砕刃セット２１を駆動して回転させる電機２２とを含む。
湯供給装置４は粉砕腔１０と連通する。
電気制御装置（図示せず）は粉砕装置２と湯供給装置４にともに電気接続されることにより粉砕装置２と湯供給装置４の作動を制御する。
粉砕腔１０内に設けられるコーヒーメーカーフィルター３は、上下方向に延伸した筒状の第一フィルター本体３１と、環状に設けられる第二フィルター本体３２を含み、第二フィルター本体３２の内環の辺縁と第一フィルター本体３１の下部は密閉状態に接続される。第二フィルター本体３２において、内環の辺縁から外環の辺縁に向かう方向は、第一フィルター本体３１の外周面から離れていく方向である、ということが理解できる。
第一フィルター本体３１は粉砕刃セット２１の周囲に設けられ、この下端は粉砕腔１０の腔底部に密閉状態に接続され、第二フィルター本体３２の外環の辺縁と粉砕腔１０の側壁は密閉状態に接続され、粉砕腔１０が第一フィルター本体３１に包囲された区域は一回目ろ過室１０１を形成し、粉砕腔１０の他の区域は第二フィルター本体３２により上方の二回目ろ過室１０２と下方の飲料室１０３に分割され、飲料出口１３は飲料室１０３と連通する。
【００３７】
本発明の実施例において、粉砕腔１０は、一回目ろ過室１０１と、一回目ろ過室１０１の周囲に位置する二回目ろ過室１０２と、二回目ろ過室１０２の下方に位置する飲料室１０３とに分割されている。従って、コーヒー豆を粉砕するか或いはコーヒーを攪拌するとき、遠心力によって大粒径のコーヒー粒子が第一フィルター本体３１を通過して二回目ろ過室１０２に入っても、第二フィルター本体３２はこのコーヒー粒子を二回目ろ過室１０２内に在留させることができる。これにより、大粒径のコーヒー粒子が飲料室１０３に入ることを避け、コーヒー飲料の品質を向上させることができる。
【００３８】
説明すべきことは、本実施例において、コーヒーメーカーフィルター３は粉砕腔１０が抽出室としても用いられるコーヒーメーカーに使用されるが、本発明はこれにのみ限定されるものでない。他の実施例において、コーヒーメーカーフィルター３を粉砕腔と抽出室が別々に形成されたコーヒーメーカーに用い、コーヒーメーカーフィルター３を抽出室内に設けることができる。特に、コーヒーメーカーフィルター３が独立の抽出室を具備するコーヒーメーカーに用いられるとき、抽出室の底部には粉砕刃セットが設けられない。この場合、第一フィルター本体３１の下端を密閉状態にして設置することにより、一回目ろ過室１０１と飲料室１０３を完全に隔離することができる。
【００３９】
本実施例において、第一フィルター本体３１と第二フィルター本体３２は一体に設置されていることが好ましい。両者が別体として設置されている構成と比較してみると、本設計ではコーヒーメーカーフィルター３を丸ごと分解洗浄することができる。一般的に、第一フィルター本体３１と第二フィルター本体３２は、一体の射出成型部材、ダイカスト部材または板金部材などとすることができる。第一フィルター本体３１と第二フィルター本体３２の材質は異なるようにすることができる。例えば、第一フィルター本体３１と第二フィルター本体３２において、１つは金属材質で構成され、他の１つはプラスチック材質で構成され、プラスチック材質のものを射出成型方法によって金属材質のものに固定することができる。
【００４０】
コーヒーメーカーフィルター３は固定フレーム３３（図３を参照）を更に含み、第一フィルター本体３１の軸方向の上端は固定フレーム３３に固定接続される。本実施例において、コーヒーメーカーフィルター３の上部は前記固定フレーム３３によって粉砕腔１０の上部に固定される。固定フレーム３３上には粉砕腔１０の上部に固定される構造（例えば、当接型折返し縁、接続用折返し縁などであるが、これらにのみ限定されるものでない）が成型されており、固定フレーム３３を増設することにより、粉砕腔１０の上部に固定される構造が第一フィルター本体３１の上部に直接に成型されることを避け、第一フィルター本体３１そのものの構造を簡単にすることができる、ということが理解できる。
【００４１】
第一フィルター本体３１は金属材質であることにより、第一フィルター本体３１の良好な剛性を確保することができる。第一フィルター本体３１は良好な剛性を有しているので、コーヒー豆とコーヒー粒子の外部への衝撃力に対する第一フィルター本体３１の耐久性を向上させることができる。具体的に、第一フィルター本体３１はステンレス材料で製造されることが好ましい。ステンレス材料は良好な剛性を有しているので、コーヒー豆とコーヒー粒子の外部への衝撃力に対して更に耐久し得る。他の実施例において、第一フィルター本体３１はアルミニウム合金、チタン合金などの他の金属材料で製造されてもよいがこれらに限定されない。固定フレーム３３はプラスチック材質であることにより、固定フレーム３３を射出成型方法によって第一フィルター本体３１の軸方向の上端に容易に固定させることができる。射出成型方法は成熟した成型方法であるので、前記コーヒーメーカーフィルター３の量産を容易に実現することができる。また、固定フレーム３３はプラスチック材質であることにより、固定フレーム３３の粉砕腔１０の上部との固定構造の成型に有用である。他の実施例において、前記固定フレーム３３は接着または溶接方法によって第一フィルター本体３１に固定することができる。
【００４２】
本実施例において、第二フィルター本体３２はプラスチック材質であることにより、第二フィルター本体３２を射出成型方法によって第一フィルター本体３１の軸方向の下端に容易に固定させることができる。射出成型方法は常用の成型方法であるので、前記コーヒーメーカーフィルター３の量産を容易に実現することができる。他の実施例において、第二フィルター本体３２は接着または溶接方法によって第一フィルター本体３１に固定されることができる。他の実施例において、第二フィルター本体３２は金属材質とすることもできる。
【００４３】
本実施例において、第二フィルター本体３２上のろ過孔３２１は射出成型によって直接に形成されるものである。射出成型用金型の型抜きを容易にするため、第二フィルター本体３２のいずれか一つのろ過孔３２１は、上表面に連通する直形孔３２１ａと、下表面に連通しかつ直形孔３２１ａから離れる方向に向かって徐々に拡がる錐形孔３２１ｂとを含む。第二フィルター本体３２のろ過孔３２１は直形孔３２１ａによって二回目ろ過室１０２に連通するとともに錐形孔３２１ｂによって飲料室１０３に連通する。本設計はこれにのみ限定されるものでなく、他の実施例において、第二フィルター本体３２上のいずれか一つのろ過孔３２１は二回目ろ過室１０２から離れる方向に向かって徐々に拡がる錐形孔に形成されることができる。他の実施例において、第二フィルター本体３２上のろ過孔３２１は後期のプレス工程によって形成された孔であってもよく、いずれか一つのろ過孔３２１の全長が直形孔になるよう成型することもできる。
【００４４】
図４を参照すると、本実施例において、第二フィルター本体３２のろ過孔３２１の上表面の孔径Ｄの範囲は０．２ｍｍ〜０．８ｍｍであることが好ましい。第二フィルター本体３２のろ過孔３２１が細いことにより、コーヒーかすが二回目ろ過室１０２から飲料室１０３に入ることを避けることができる。他の実施例において、第二フィルター本体３２のろ過孔３２１の孔径の範囲を更に小さくすることにより、コーヒーかすを拘束する作用を高めることができる。
【００４５】
第一フィルター本体３１の目数の範囲は８０網目〜１５０網目であることが好ましい。この目数の範囲にある第一フィルター本体３１は好適な孔径の網目を有し、コーヒーを抽出するとき、大部分のコーヒーかすを一回目ろ過室１０１に留めることができる。他の実施例において、第一フィルター本体３１はより少ない目数を有することにより、コーヒーメーカーフィルター３のコストを低減することができる。
【００４６】
大部分のコーヒーかすは一回目ろ過室１０１に留められるので、二回目ろ過室１０２は僅かなスペースを必要とするにすぎない、ということが理解できる。本実施例において、第二フィルター本体３２の外環の辺縁と内環の辺縁との間の距離Ｗの範囲は１０ｍｍ〜３０ｍｍであることが好ましい（図３を参照）。
【００４７】
コーヒーかすの沈積によって第二フィルター本体３２のろ過孔３２１が詰まることを避けるため、第二フィルター本体３２は径方向外側方向に向かって下方に傾斜して延伸しているか或いは上方に傾斜して延伸していることが好ましい。これにより、コーヒーかすが重力により第二フィルター本体３２の内環の辺縁または外環の辺縁で流れ、第二フィルター本体３２の内環の辺縁または外環の辺縁に沈殿するようすることができる。本実施例において、第二フィルター本体３２は射出成型により第一フィルター本体３１の軸方向の下端に固定される。金型の型抜きを容易にするため、第二フィルター本体３２は径方向外側方向に向かって下方に傾斜して延伸している。第二フィルター本体３２の傾斜角が大き過ぎることを避けることにより、第二フィルター本体３２の距離Ｗが非常に大きくなり、二回目ろ過室１０２のスペースが非常に小さくなることを防止することができる。第二フィルター本体３２は径方向外側方向に向かって水平方向との間の傾斜角βの範囲は１°〜１０°である（図２を参照）。
【００４８】
本実施例において、粉砕腔１０の径方向の寸法は第二フィルター本体３２の外環の辺縁の径方向の寸法に合う。これにより、第二フィルター本体３２の外環の辺縁は粉砕腔１０の側壁に緊密に当接し、二回目ろ過室１０２と飲料室１０３は漏れがないように分割される。
【００４９】
また、第二フィルター本体３２の外環の辺縁と粉砕腔１０の側壁との間の接続密閉性を更に確保するため、第二フィルター本体３２の外環の辺縁と粉砕腔１０の側壁との間に第一シールリング（図示せず）更に設けることができる。具体的に、第二フィルター本体３２の外環の辺縁には下方向に或いは上方向に延伸する実装用折返し縁３２２が形成され、該実装用折返し縁３２２の外周面には第一シールリングに嵌合し位置決めする位置決め環状溝３２３が用意されている。これにより、第一シールリングを実装用折返し縁３２２に実装し位置決めすることができる。第一シールリングを実装すると、第一シールリングは一部が位置決め環状溝３２３から突出するとともに粉砕腔１０の側壁に当接する。本実施例において、実装用折返し縁３２２は下方向へ延伸し、実装用折返し縁３２２の下端は粉砕腔１０の底壁に弾力性を持って当接する。これにより、二回目ろ過室１０２と飲料室１０３との間の密閉性を更に向上させるもう一層の密閉障壁となるとともに、実装用折返し縁３２２の下端でコーヒーメーカーフィルター３を支持することができる。
【００５０】
図４を参照すると、本実施例において、収納部１１の底壁には第一凸部１４が形成され、第一フィルター本体３１の下端は第一凸部１４の上端面に密閉に当接する。第二フィルター本体３２は第一フィルター本体３１の下端に接続され、第一フィルター本体３１と収納部１１の側壁との間には前記二回目ろ過室１０２が形成され、第一凸部１４の外周面と収納部１１の側壁との間には前記飲料室１０３が形成される。第一凸部１４が形成されることにより、第二フィルター本体３２と粉砕腔１０の底壁を容易に分割し、飲料室１０３が上下方向の深度を有するようにすることができる、ということが理解できる。本実施例において、コーヒーメーカーが作動するとき、第一フィルター本体３１が粉砕腔１０内で揺れ、粉砕刃セット２１とぶつかることを避けるため、第一凸部１４の上端面に第二凸部１５を形成することが好ましい。前記第二凸部１５が第一フィルター本体３１に嵌合されることにより、第一フィルター本体３１の粉砕腔１０内の位置決めをすることができる。
【００５１】
本設計はこれにのみ限定されるものでなく、他の実施例において、前記第一凸部１４を形成せず、第一フィルター本体３１の下端を収納部１１の底壁に直接に当接させ、第二フィルター本体３２と第一フィルター本体３１の接続箇所と前記第一フィルター本体３１の下端との間の距離を有することができる。これにより、前記第二フィルター本体３２の上方の第一フィルター本体３１と収納部１１の側壁との間に前記二回目ろ過室１０２を形成し、前記第二フィルター本体３２の下方の第一フィルター本体３１と収納部１１の側壁との間に前記飲料室１０３を形成することができる。第一フィルター本体３１の位置を決め、第一フィルター本体３１が揺れることを防止するため、収納部１１の底面に第一フィルター本体３１と嵌合する第二凸部１５を用意することができる。
【００５２】
第一フィルター本体３１は、下から上に向かって徐々に拡がる中空筒状に設けられることが好ましい。これにより、コーヒーメーカーフィルター３は直径が大きい上端の開口を有し、コーヒー豆と湯を一回目ろ過室１０１に容易に注ぐことができる。一般的に、第一フィルター本体３１と垂直方向との間の傾斜角αの範囲は５°〜３０°であることが好ましい（図２を参照）。
【００５３】
図２と図３を参照すると、本実施例において、第一フィルター本体３１上には補強筋３１１が更に形成されている。前記補強筋３１１は少なくとも、第一フィルター本体３１の周方向に沿って形成される環状補強筋３１１ａを含む。これにより、第一フィルター本体３１の外周面の方向の剛性を向上させ、コーヒー豆とコーヒー粒子の外部への衝撃力に対抗し、第一フィルター本体３１が変形することを防止し、コーヒーメーカーフィルター３の寿命を延長させることができる。また、第一フィルター本体３１全体の剛性を向上させるため、前記補強筋３１１は環状補強筋３１１ａと交差に形成された棒状補強筋３１１ｂを更に含むことが好ましい。一般的に、前記棒状補強筋３１１ｂは第一フィルター本体３１の軸方向に延伸するか或いは第一フィルター本体３１の軸方向に対して傾斜して設置することができる。特に、前記棒状補強筋３１１ｂの上端は固定フレーム３３に固定接続されることが好ましい。これにより第一フィルター本体３１の良好な剛性を確保することができる。注意されたいことは、本実施例において、補強筋３１１はプラスチック材質であることが好ましい。これにより、補強筋３１１を射出成型によって第一フィルター本体３１に固定させ、前記コーヒーメーカーフィルター３の量産を容易に実施することができる。特に、固定フレーム３３と補強筋３１１を一回の射出成型により形成することにより、製造の工程を簡単にすることができる。
【００５４】
本実施例において、第一フィルター本体３１は直径方向で粉砕刃セット２１と対向する環状区域を更に具備し、前記環状補強筋３１１ａは前記環状区域に形成される。粉砕刃セット２１でコーヒー豆を粉砕するときには、前記環状区域はコーヒー豆とコーヒー粒子の外部への衝撃力を最も多く受けるため、前記環状補強筋３１１ａを前記環状区域に特定して形成することにより、前記環状区域の剛性を直接に強化し、コーヒーメーカーフィルター３の衝撃対抗力を有効に向上させることができる、ということが理解できる。
【００５５】
本実施例において、第一フィルター本体３１の軸方向に投影された粉砕刃セット２１の投影の幅は略８ｍｍである。本実施例において、環状区域に形成される環状補強筋３１１ａは１個であり、前記１個の環状補強筋３１１ａで第一フィルター本体３１の衝撃対抗力を有効に向上させるため、前記環状補強筋３１１ａの幅の範囲Ｌは６ｍｍ〜１２ｍｍであることが好ましい（図２を参照）。
【００５６】
注意されたいことは、本設計はこれにのみ限定されるものでなく、他の実施例において、コーヒーメーカーフィルター３の衝撃対抗力を有効に向上させるため、複数個の環状補強筋３１１ａを第一フィルター本体３１に平行にかつ間隔を空けて設けることができる。環状区域に形成される前記複数個の環状補強筋３１１ａの設置密度は環状区域の軸方向の両側の設置密度より大きい。
【００５７】
本実施例において、コーヒーメーカーフィルター３の上部と蓋部１２は密閉に接続される。この場合、湯供給装置４の給水速度を制御することにより、給水速度をコーヒーメーカーフィルター３の吐水出速度より大きくし、注がれた湯が第一フィルター本体３１のろ過孔を通過した後、一回目ろ過室１０１の上部に圧力空間が形成されるようにすることができる。これにより、コーヒーの圧力抽出をし、コーヒー粉末を充分に含浸することにより濃厚なコーヒーを抽出することができる。しかしながら、本設計はこれのみ限定されるものでなく、他の実施例において、コーヒーメーカーフィルター３の上部と収納部１１を密閉に接続させ、かつ収納部１１と蓋部１２を密閉に接続させることにより、一回目ろ過室１０１の上部に圧力空間を形成することができる。
【００５８】
本実施例において、コーヒーメーカーフィルター３の上部は前記固定フレーム３３であり、蓋部１２には固定フレーム３３に挿入される突出部１６が形成されている。前記突出部１６の外縁と固定フレーム３３の内縁との間には第二シールリング５１が設けられ、該第二シールリング５１により固定フレーム３３と突出部１６との間の密閉接続を実現することができる。これは図２に示されるとおりである。本実施例において、前記固定フレーム３３の外周面と収納部１１の上部の内周面との間に第三シールリング５２が設けられることにより、コーヒーメーカーフィルター３の上部と収納部１１との間の密閉接続を実現することができる。また、コーヒーメーカーフィルター３の上部と蓋部１２との間の密閉接続により、粉砕腔１０全体の密閉性を獲得することができる。従って、コーヒーが抽出できた後に、コーヒーは飲料出口１３から自由に流出することができない。即ち、湯供給装置４により粉砕腔１０内の圧力を増加させなければ、コーヒーを飲料出口１３から排出させることができない。これにより、コーヒーの圧力抽出をし、コーヒーの品質を向上させることができる。
【００５９】
図３を参照すると、本実施例において、使用者がコーヒーメーカーフィルター３を容易に取り出すようにするため、コーヒーメーカーフィルター３の上部の内周面に複数個の取っ手３４を形成することができる。具体的に、取っ手３４は突出状に固定フレーム３３の内周面に成型される。しかしながら、本設計はこれにのみ限定されるものでなく、他の実施例において、取っ手３４を固定フレーム３３に凹溝状に成型することもできる。また、コーヒーメーカーフィルター３に前記固定フレーム３３を設けない場合、取っ手３４を第一フィルター本体３１の上部の内周面に直接に形成することもできる。
【００６０】
以上の説明は本発明の好適な実施例としてであり、本発明の特許の範囲を限定するものではない。本発明の発明思想の下で、本発明の明細書と図面の内容から作られる同等の構成への変換、或いは直接／間接的にその他の関連する技術領域への応用はともに本発明に含まれることは勿論である。
【符号の説明】
【００６１】
１          粉砕室
１０        粉砕腔
１１        収納部
１２        蓋部
１３        飲料出口
１４        第一凸部
１５        第二凸部
１６        突出部
１０１      一回目ろ過室
１０２      二回目ろ過室
１０３      飲料室
２          粉砕装置
２１        粉砕刃セット
２２        電機
３          コーヒーメーカーフィルター
３１        第一フィルター本体
３２        第二フィルター本体
３３        固定フレーム
３４        取っ手
３１１      補強筋
３１１ａ    環状補強筋
３１１ｂ    棒状補強筋
３２１      ろ過孔
３２１ａ   直形孔
３２１ｂ   錐形孔
３２２      実装用折返し縁
３２３      位置決め環状溝
４          湯供給装置
５１        第二シールリング
５２        第三シールリング
【図１】
0006608044.tif 000002
【図２】
0006608044.tif 000003
【図３】
0006608044.tif 000004
【図４】
0006608044.tif 000005